(57)【要約】【課題】管理部門から利用者に貸与されたマネーカードの返却時の電子マネーの残高の信頼性を確保する。【解決手段】ロック状態又は解除状態を表す状態情報を含む、マネーカードに関する各種の情報を、登録カード情報として、データベースに登録して管理するカード情報管理サーバと、利用者によって操作される利用者操作端末とを有し、利用者操作端末は、マネーカードと通信するカード取扱手段と、マネーカードの中に格納されている電子マネーの残高を表す残高情報が記載された残高証明書を発行する残高証明書発行手段とを備えており、残高証明書発行手段が残高証明書を発行するときに（Ｓ３３０）、同時に、カード取扱手段がマネーカードをロック状態にする（Ｓ３１５ａ）。【選択図】図３Ｃ
2014038462.tif 000002
【特許請求の範囲】
【請求項１】
マネーカードを、その中に格納されている電子マネーが利用不能にロックされたロック状態及びそのロックが解除された解除状態のいずれか一方の状態にして、当該マネーカードの管理部門から利用者への貸与を管理するマネーカード貸与システムであって、
前記ロック状態又は前記解除状態を表す状態情報を含む、前記マネーカードに関する各種の情報を、登録カード情報として、データベースに登録して管理するカード情報管理サーバと、
前記利用者によって操作される利用者操作端末とを有し、
前記利用者操作端末は、
前記マネーカードと通信するカード取扱手段と、
前記マネーカードの中に格納されている前記電子マネーの残高を表す残高情報が記載された残高証明書を発行する残高証明書発行手段とを備えており、
前記残高証明書発行手段が前記残高証明書を発行するときに、同時に、前記カード取扱手段が前記マネーカードを前記ロック状態にする
ことを特徴とするマネーカード貸与システム。
【請求項２】
請求項１に記載のマネーカード貸与システムにおいて、
前記カード情報管理サーバは、前記利用者操作端末で前記マネーカードを返却するための返却操作が受け付けられた場合に、前記データベースに登録されている前記登録カード情報の前記状態情報の内容を、前記解除状態から前記ロック状態に変更し、
前記利用者操作端末は、前記カード情報管理サーバで前記登録カード情報の前記状態情報の内容が前記解除状態から前記ロック状態に変更されるときに、前記残高証明書を発行するとともに、前記マネーカードを前記ロック状態にする
ことを特徴とするマネーカード貸与システム。
【請求項３】
請求項１又は請求項２に記載のマネーカード貸与システムにおいて、
前記カード情報管理サーバは、
前記状態情報の内容が前記ロック状態になっている、複数枚分の前記マネーカードの前記登録カード情報が前記データベースに予め登録されており、
複数枚分の前記マネーカードの中の１枚が貸与カードとして前記管理部門から前記利用者に貸与される場合に、当該貸与カードに該当する前記状態情報の内容を、前記ロック状態から前記解除状態に変更する
ことを特徴とするマネーカード貸与システム。
【請求項４】
請求項３に記載のマネーカード貸与システムにおいて、
前記カード情報管理サーバは、
前記貸与カードが前記利用者から前記管理部門に返却される場合に、当該貸与カードに該当する前記状態情報の内容を、前記解除状態から前記ロック状態に変更する
ことを特徴とするマネーカード貸与システム。
【請求項５】
請求項４に記載のマネーカード貸与システムにおいて、
前記登録カード情報は、前記マネーカードの中に格納されている前記電子マネーの残高を表す登録残高情報を含んでおり、
前記利用者操作端末は、前記貸与カードが前記利用者から前記管理部門に返却される場合に、当該貸与カードの前記残高情報を前記カード情報管理サーバに通知し、
前記カード情報管理サーバは、当該貸与カードに該当する前記登録カード情報に含まれている前記登録残高情報の金額を、通知された前記残高情報の金額に更新する
ことを特徴とするマネーカード貸与システム。
【請求項６】
請求項５に記載のマネーカード貸与システムにおいて、
前記カード情報管理サーバは、前記解除状態になっている前記貸与カードが取引装置に通信可能に接続されて、前記電子マネーが前記取引装置で使用される場合に、前記取引装置を介して前記貸与カードから前記電子マネーの利用履歴情報を取得し、取得された当該利用履歴情報に基づいて、当該貸与カードに該当する前記登録カード情報に含まれている前記登録残高情報の金額を更新する
ことを特徴とするマネーカード貸与システム。
【請求項７】
請求項６に記載のマネーカード貸与システムにおいて、
前記カード情報管理サーバは、前記解除状態になっている前記貸与カードが前記取引装置に通信可能に接続されて、前記電子マネーが前記取引装置でチャージされる場合に、前記取引装置を介して前記貸与カードから前記電子マネーのチャージ履歴情報を取得し、取得された当該チャージ履歴情報に基づいて、当該貸与カードに該当する前記登録カード情報に含まれている前記登録残高情報の金額を更新する
ことを特徴とするマネーカード貸与システム。
【請求項８】
請求項５乃至請求項７のいずれか一項に記載のマネーカード貸与システムにおいて、
さらに、前記管理部門に属する人物によって操作される管理部門端末を有し、
前記管理部門端末は、前記貸与カードが前記管理部門から前記利用者に貸与される場合に、当該貸与カードの前記残高情報を前記カード情報管理サーバに通知し、
前記カード情報管理サーバは、当該貸与カードに該当する前記登録カード情報に含まれている前記登録残高情報の金額を、通知された前記残高情報の金額に更新する
ことを特徴とするマネーカード貸与システム。
【請求項９】
請求項８に記載のマネーカード貸与システムにおいて、
前記管理部門端末は、
前記マネーカードと通信する管理部門カード取扱手段と、
前記残高証明書を発行する管理部門残高証明書発行手段とを備えており、
前記貸与カードが前記管理部門から前記利用者に貸与される場合に、前記管理部門カード取扱手段が前記貸与カードと通信して当該貸与カードの前記残高情報を取得するとともに、取得された前記残高情報に基づいて、前記管理部門残高証明書発行手段が前記残高証明書を発行する
ことを特徴とするマネーカード貸与システム。
【請求項１０】
管理部門から利用者に貸与された電子マネーを格納しているマネーカードと通信可能に接続され、かつ、当該利用者によって操作される利用者操作端末であって、
前記マネーカードと通信するカード取扱手段と、
前記マネーカードの中に格納されている前記電子マネーの残高を表す残高情報が記載された残高証明書を発行する残高証明書発行手段とを備えており、
前記残高証明書発行手段が前記残高証明書を発行するときに、同時に、前記カード取扱手段が前記マネーカードを、前記電子マネーが利用不能にロックされたロック状態にする
ことを特徴とする利用者操作端末。
【請求項１１】
管理部門から利用者に貸与された電子マネーを格納しているマネーカードと通信するカード取扱手段と、前記マネーカードの中に格納されている前記電子マネーの残高を表す残高情報が記載された残高証明書を発行する残高証明書発行手段とを備え、当該利用者によって操作される利用者操作端末の制御部を動作させるプログラムであって、
前記制御部を、
前記残高証明書発行手段に前記残高証明書を発行させるときに、同時に、前記カード取扱手段を介して、前記マネーカードと通信させて、前記マネーカードを、前記電子マネーが利用不能にロックされたロック状態にさせる
ことを特徴とするプログラム。
【請求項１２】
管理部門から利用者に貸与されるマネーカードに格納されている電子マネーが利用不能にロックされた状態をロック状態とし、そのロックが解除された状態を解除状態とし、当該ロック状態又は当該解除状態を表す状態情報を含む、当該マネーカードに関する各種の情報を、登録カード情報として、データベースに登録して管理するカード情報管理サーバであって、
前記状態情報の内容が前記ロック状態になっている、複数枚分の前記マネーカードの前記登録カード情報が前記データベースに予め登録されており、
複数枚分の前記マネーカードの中の１枚が貸与カードとして前記管理部門から前記利用者に貸与される場合に、当該貸与カードに該当する前記状態情報の内容を、前記ロック状態から前記解除状態に変更し、
一方、前記貸与カードが前記利用者から前記管理部門に返却される場合に、当該貸与カードに該当する前記状態情報の内容を、前記解除状態から前記ロック状態に変更する
ことを特徴とするカード情報管理サーバ。
【請求項１３】
管理部門から利用者に貸与されるマネーカードに格納されている電子マネーが利用不能にロックされた状態をロック状態とし、そのロックが解除された状態を解除状態とし、当該ロック状態又は当該解除状態を表す状態情報を含む、当該マネーカードに関する各種の情報を、登録カード情報として、データベースに登録して管理するカード情報管理サーバの制御部を動作させるプログラムであって、
前記カード情報管理サーバの制御部を、
前記状態情報の内容が前記ロック状態になっている、複数枚分の前記マネーカードの前記登録カード情報を前記データベースに予め登録させておき、
複数枚分の前記マネーカードの中の１枚が貸与カードとして前記管理部門から前記利用者に貸与される場合に、当該貸与カードに該当する前記状態情報の内容を、前記ロック状態から前記解除状態に変更させ、
一方、前記貸与カードが前記利用者から前記管理部門に返却される場合に、当該貸与カードに該当する前記状態情報の内容を、前記解除状態から前記ロック状態に変更させる
ことを特徴とするプログラム。
【発明の詳細な説明】
【技術分野】
【０００１】
本発明は、管理部門から利用者に貸与されたマネーカードの返却時の電子マネーの残高の信頼性を確保するマネーカード貸与システム、利用者操作端末、カード情報管理サーバ、及び、プログラムに関する。
【背景技術】
【０００２】
一般に、電子マネーが格納（チャージ）されたＩＣカード（以下、「マネーカード」と称する）及びそのマネーカードを利用する機器（以下、「利用機器」）が、広く普及している。
【０００３】
そのマネーカードに格納された電子マネーの残高の確認は、電子マネーの残高を、表示機能を有する利用機器に表示させるか、又は、電子マネーの残高が記載された証明書を、印刷機能を有する利用機器に発行（印刷）させることによって、行われている（例えば、特許文献１〜特許文献３参照）。以下、電子マネーの残高が記載された従来の証明書を「利用明細紙」と称する。
【０００４】
一方、様々な分野で、マネーカードを管理する管理部門から利用者にマネーカードを貸与するシステム（以下、「マネーカード貸与システム」と称する）の構築が、試みられている。
【０００５】
例えば、マネーカード貸与システムは、会社の経費を管理する総務部門が管理部門になるとともに、従業員等が利用者になり、総務部門が従業員等にマネーカードを貸与して、マネーカードを介して、従業員等によって使用される経費等を管理することを目的にして、構築することが試みられている。
【先行技術文献】
【特許文献】
【０００６】
【特許文献１】特開２００１−２７９９６４号公報
【特許文献２】特開平１１−３１１９８号公報
【特許文献３】特開２００７−１１４８９８号公報
【発明の概要】
【発明が解決しようとする課題】
【０００７】
係るマネーカード貸与システムでは、利用者は、管理部門にマネーカードを返却するときに、利用明細紙を利用機器に発行（印刷）させて、その利用明細紙を管理部門に提出する。これにより、利用者は、マネーカードの返却時の電子マネーの残高を管理部門に通知する。
【０００８】
しかしながら、マネーカードに格納された電子マネーは、利用明細紙が発行（印刷）された後に、使用（消費）されたり、格納（チャージ）されたりすることがある。そのため、利用明細紙に記載された電子マネーの残高は、マネーカードに格納されている実際の電子マネーの残高と一致しない場合がある。したがって、利用明細紙による電子マネーの残高の通知は、必ずしも信頼性が確保されていなかった。
【０００９】
そのため、管理部門は、利用者から利用明細紙が提出されて、電子マネーの残高が通知されているにもかかわらず、マネーカードの返却時に、毎回、マネーカードに格納されている実際の電子マネーの残高を利用機器で確認する必要がある。これによって、管理部門は、作業負担を強いられていた。
【００１０】
したがって、従来のマネーカード貸与システムは、マネーカードの返却時に、管理部門にかかる作業負担を軽減することが望まれている、という課題があった。
【００１１】
この点について、本発明の発明者は、マネーカードの返却時の電子マネーの残高の信頼性を確保することができれば、管理部門にかかる作業負担を軽減することができる、と考えた。そして、本発明の発明者は、マネーカードに格納されている電子マネーの残高が記載された証明書の発行（印刷）時に、同時に、電子マネーの使用（消費）や格納（チャージ）ができないように、マネーカードをロック状態にすれば、マネーカードの返却時の電子マネーの残高の信頼性を確保することができる、と考えた。
【００１２】
本発明は、前記した課題を解決するためになされたものであり、管理部門から利用者に貸与されたマネーカードの返却時の電子マネーの残高の信頼性を確保するマネーカード貸与システムを提供することを主な目的とする。また、本発明は、当該マネーカード貸与システムに用いる利用者操作端末、及び、その利用者操作端末を実現するプログラムを提供することも主な目的とする。また、本発明は、当該マネーカード貸与システムに用いるカード情報管理サーバ、及び、そのカード情報管理サーバを実現するプログラムを提供することも主な目的とする。
【課題を解決するための手段】
【００１３】
前記目的を達成するため、第１発明は、マネーカードを、その中に格納されている電子マネーが利用不能にロックされたロック状態及びそのロックが解除された解除状態のいずれか一方の状態にして、当該マネーカードの管理部門から利用者への貸与を管理するマネーカード貸与システムであって、前記ロック状態又は前記解除状態を表す状態情報を含む、前記マネーカードに関する各種の情報を、登録カード情報として、データベースに登録して管理するカード情報管理サーバと、前記利用者によって操作される利用者操作端末とを有し、前記利用者操作端末は、前記マネーカードと通信するカード取扱手段と、前記マネーカードの中に格納されている前記電子マネーの残高を表す残高情報が記載された残高証明書を発行する残高証明書発行手段とを備えており、前記残高証明書発行手段が前記残高証明書を発行するときに、同時に、前記カード取扱手段が前記マネーカードを前記ロック状態にする構成とする。
【００１４】
このマネーカード貸与システムは、残高証明書発行手段が残高証明書を発行するときに、同時に、カード取扱手段がマネーカードをロック状態にする。そのため、このマネーカード貸与システムは、残高証明書を発行すると同時に、マネーカードを、電子マネーの使用（消費）や格納（チャージ）ができない状態にする。
【００１５】
したがって、このマネーカード貸与システムは、残高証明書に記載された電子マネーの残高とマネーカードに格納されている実際の電子マネーの残高とを確実に一致させることができる。その結果、このマネーカード貸与システムは、マネーカードの返却時の電子マネーの残高の信頼性を確保することができる。
【００１６】
これにより、管理部門は、マネーカードの返却時に、マネーカードに格納されている実際の電子マネーの残高を利用機器で確認する必要がなくなる。そのため、このマネーカード貸与システムは、管理部門にかかる作業負担を軽減することができる。
【００１７】
また、第２発明は、管理部門から利用者に貸与された電子マネーを格納しているマネーカードと通信可能に接続され、かつ、当該利用者によって操作される利用者操作端末であって、前記マネーカードと通信するカード取扱手段と、前記マネーカードの中に格納されている前記電子マネーの残高を表す残高情報が記載された残高証明書を発行する残高証明書発行手段とを備えており、前記残高証明書発行手段が前記残高証明書を発行するときに、同時に、前記カード取扱手段が前記マネーカードを、前記電子マネーが利用不能にロックされたロック状態にする構成とする。
この利用者操作端末は、第１発明に係るマネーカード貸与システムに用いることができる。
【００１８】
また、第３発明は、管理部門から利用者に貸与された電子マネーを格納しているマネーカードと通信するカード取扱手段と、前記マネーカードの中に格納されている前記電子マネーの残高を表す残高情報が記載された残高証明書を発行する残高証明書発行手段とを備え、当該利用者によって操作される利用者操作端末の制御部を動作させるプログラムであって、前記制御部を、前記残高証明書発行手段に前記残高証明書を発行させるときに、同時に、前記カード取扱手段を介して、前記マネーカードと通信させて、前記マネーカードを、前記電子マネーが利用不能にロックされたロック状態にさせる構成とする。
このプログラムは、第２発明に係る利用者操作端末を実現することができる。
【００１９】
また、第４発明は、管理部門から利用者に貸与されるマネーカードに格納されている電子マネーが利用不能にロックされた状態をロック状態とし、そのロックが解除された状態を解除状態とし、当該ロック状態又は当該解除状態を表す状態情報を含む、当該マネーカードに関する各種の情報を、登録カード情報として、データベースに登録して管理するカード情報管理サーバであって、前記状態情報の内容が前記ロック状態になっている、複数枚分の前記マネーカードの前記登録カード情報が前記データベースに予め登録されており、複数枚分の前記マネーカードの中の１枚が貸与カードとして前記管理部門から前記利用者に貸与される場合に、当該貸与カードに該当する前記状態情報の内容を、前記ロック状態から前記解除状態に変更し、一方、前記貸与カードが前記利用者から前記管理部門に返却される場合に、当該貸与カードに該当する前記状態情報の内容を、前記解除状態から前記ロック状態に変更する構成とする。
このカード情報管理サーバは、第１発明に係るマネーカード貸与システムに用いることができる。
【００２０】
また、第５発明は、管理部門から利用者に貸与されるマネーカードに格納されている電子マネーが利用不能にロックされた状態をロック状態とし、そのロックが解除された状態を解除状態とし、当該ロック状態又は当該解除状態を表す状態情報を含む、当該マネーカードに関する各種の情報を、登録カード情報として、データベースに登録して管理するカード情報管理サーバの制御部を動作させるプログラムであって、前記カード情報管理サーバの制御部を、前記状態情報の内容が前記ロック状態になっている、複数枚分の前記マネーカードの前記登録カード情報を前記データベースに予め登録させておき、複数枚分の前記マネーカードの中の１枚が貸与カードとして前記管理部門から前記利用者に貸与される場合に、当該貸与カードに該当する前記状態情報の内容を、前記ロック状態から前記解除状態に変更させ、一方、前記貸与カードが前記利用者から前記管理部門に返却される場合に、当該貸与カードに該当する前記状態情報の内容を、前記解除状態から前記ロック状態に変更させる構成とする。
このプログラムは、第４発明に係るカード情報管理サーバを実現することができる。
【発明の効果】
【００２１】
本発明によれば、管理部門から利用者に貸与されたマネーカードの返却時の電子マネーの残高の信頼性を確保するマネーカード貸与システムを提供することができる。
【図面の簡単な説明】
【００２２】
【図１】実施形態に係るマネーカード貸与システムの全体構成を示す図である。
【図２】実施形態に係るマネーカード貸与システムの機能ブロックを示す図である。
【図３Ａ】実施形態に係るマネーカード貸与システムの動作を示す図（１）である。
【図３Ｂ】実施形態に係るマネーカード貸与システムの動作を示す図（２）である。
【図３Ｃ】実施形態に係るマネーカード貸与システムの動作を示す図（３）である。
【図４】実施形態で用いるカード情報管理画面の一例を示す図である。
【発明を実施するための形態】
【００２３】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００２４】
＜マネーカード貸与システムの構成＞
以下、図１及び図２を参照して、本実施形態に係るマネーカード貸与システム１の構成につき説明する。図１は、実施形態に係るマネーカード貸与システム１の全体構成を示す図である。また、図２は、実施形態に係るマネーカード貸与システム１の機能ブロックを示す図である。
【００２５】
マネーカード貸与システム１は、電子マネーが格納（チャージ）されたＩＣカード（以下、「マネーカード」と称する）６０の、管理部門から利用者への貸与を管理するシステムである。
【００２６】
本実施形態では、例えば、会社の経費を管理する総務部門が管理部門になるとともに、従業員等が利用者になり、総務部門が従業員等にマネーカード６０を貸与して、従業員等に電子マネーを利用させ、電子マネーの利用後に、従業員等が総務部門にマネーカード６０を返却する場合を想定して説明する。本実施形態では、マネーカード６０の管理部門である総務部門は、マネーカード６０を介して、利用者である従業員等によって使用される経費等を管理することができる。
【００２７】
マネーカード貸与システム１は、マネーカード６０を利用して、管理部門から利用者に貸与される電子マネーを管理する。その際に、マネーカード貸与システム１は、マネーカード６０を、電子マネーが利用不能にロックされたロック状態及びそのロックが解除された解除状態のいずれか一方の状態にすることができる。
【００２８】
図１に示すように、マネーカード貸与システム１は、カード情報管理サーバ１０、管理部門端末２０、及び、利用者操作端末３０を有している。
【００２９】
カード情報管理サーバ１０は、マネーカード６０に関する各種の情報（以下、「カード情報」と称する）６１をデータベース１２（図２参照）に登録して管理するデータベースサーバである。以下、データベース１２に登録されたカード情報６１を「登録カード情報１２ａ（図２参照）」と称する。
【００３０】
ここでは、カード情報６１及び登録カード情報１２ａは、例えば、マネーカード６０に一意に割り振られた「ＩＤ」情報や、電子マネーの「ロック状態」情報、電子マネーの「残高」情報、電子マネーの「利用履歴」情報、電子マネーの「チャージ履歴」情報等を含んでいるものとして説明する。
【００３１】
なお、ロック状態情報は、電子マネーが利用不能にロックされたロック状態及びそのロックが解除された解除状態のいずれの状態であるのかを表している。以下、ロック状態情報を「状態情報」と称する場合もある。
【００３２】
管理部門端末２０は、管理部門に設置され、管理部門に属する人物によって操作される端末装置である。以下、管理部門端末２０を操作する人物を「管理操作者」と称する。ここでは、管理部門端末２０がパーソナルコンピュータ（ＰＣ）によって構成されている場合を想定して説明する。
【００３３】
利用者操作端末３０は、一般の利用者が利用可能なオープンな場所に設置され、利用者によって操作される端末装置である。ここでは、利用者操作端末３０がパーソナルコンピュータ（ＰＣ）によって構成されており、例えば、鉄道の駅の窓口に設置されている場合を想定して説明する。
【００３４】
ただし、利用者操作端末３０は、鉄道や飛行機、船舶等の交通機関、銀行や信用金庫、郵便局等の金融機関、コンビニエンスストアやスーパーマーケット、デパート等の流通機関、地下街や、市役所、病院等の公共施設、工場や事務所等の私企業、駐車場、道路脇（わき）等の屋外等に配設されていてもよい。
【００３５】
また、利用者操作端末３０は、ＰＣ以外の様々な形態の装置として構成することができる。例えば、利用者操作端末３０は、金融機関や流通機関に設置されたＡＴＭ（自動取引装置）として構成すること（特に、コンビニエンスストアに設置された所謂「コンビニＡＴＭ」として構成すること）もできる。また、例えば、利用者操作端末３０は、交通機関や流通機関に設置された自動券売機として構成することもできる。また、例えば、利用者操作端末３０は、流通機関に設置されたキャッシュレジスタとして構成することもできる。
【００３６】
本実施形態では、管理部門端末２０は、カード読取機４０Ａ、及び、残高証明書発行機５０Ａを備えている。また、利用者操作端末３０は、カード読取機４０Ｂ、及び、残高証明書発行機５０Ｂを備えている。
【００３７】
カード読取機４０Ａ，４０Ｂは、それぞれ、マネーカード６０と通信して、マネーカード６０に所定の演算を実行させる構成要素である。カード読取機４０Ａは、特許請求の範囲に記載された「管理部門カード取扱手段」に相当する。また、カード読取機４０Ｂは、特許請求の範囲に記載された「カード取扱手段」に相当する。
【００３８】
図１に示す例では、カード読取機４０Ａは、管理部門端末２０とは別体の独立した装置として構成されている。しかしながら、カード読取機４０Ａは、管理部門端末２０の内部に組み込まれた構成にすることもできる。また、図１に示す例では、カード読取機４０Ｂは、利用者操作端末３０とは別体の独立した装置として構成されている。しかしながら、カード読取機４０Ｂは、利用者操作端末３０の内部に組み込まれた構成にすることもできる。
【００３９】
ここでは、カード読取機４０Ａ，４０Ｂは、それぞれ、マネーカード６０を読取部４１（図２参照）にセットすることにより、マネーカード６０と通信可能に接続される構成になっているものとして説明する。カード読取機４０Ａ，４０Ｂは、それぞれ、マネーカード６０から、マネーカード６０の図示せぬ記憶部に記録されたカード情報６１（例えば、ＩＤや、電子マネーの残高、利用履歴、チャージ履歴等の情報）を読み取ったり、又は、カード情報６１を書き換えたりする。なお、カード読取機４０Ａ，４０Ｂは、それぞれ、例えば、開閉可能な扉状のカバー部材を読取部４１の周囲に設け、読取部４１にセットされたマネーカード６０をカバー部材によって上から押さえ付けて固定する構成にしてもよい。
【００４０】
残高証明書発行機５０Ａ，５０Ｂは、それぞれ、マネーカード６０の中に格納されている電子マネーの残高を表す残高情報が記載された証明書（以下、「残高証明書」と称する）７０を発行する構成要素である。残高証明書発行機５０Ａは、特許請求の範囲に記載された「管理部門残高証明書発行手段」に相当する。また、残高証明書発行機５０Ｂは、特許請求の範囲に記載された「残高証明書発行手段」に相当する。
【００４１】
なお、「残高証明書７０」は、従来技術で用いられていた利用明細紙と異なり、その表面に記載された電子マネーの残高情報がマネーカード６０に格納された実際の電子マネーの残高情報と常に一致する証明書となっている。残高証明書発行機５０Ａ，５０Ｂは、それぞれ、対応するカード読取機４０Ａ，４０Ｂによって読み取られたカード情報６１に含まれている電子マネーの残高情報と利用履歴情報とを紙媒体等に印刷して、残高証明書７０として発行する。
【００４２】
図１に示す例では、残高証明書発行機５０Ａは、管理部門端末２０とは別体の独立した装置として構成されている。しかしながら、残高証明書発行機５０Ａは、管理部門端末２０の内部に組み込まれた構成にすることもできる。また、図１に示す例では、残高証明書発行機５０Ｂは、利用者操作端末３０とは別体の独立した装置として構成されている。しかしながら、残高証明書発行機５０Ｂは、利用者操作端末３０の内部に組み込まれた構成にすることもできる。
【００４３】
ここでは、残高証明書発行機５０Ａ，５０Ｂは、それぞれ、プリンタや、ＭＦＰ等によって構成されているものとして説明する。なお、「ＭＦＰ」とは、ファクシミリ機能やスキャナ機能、コピー機能等がプリンタに付加された、Ｍｕｌｔｉ  Ｆｕｎｃｔｉｏｎ  Ｐｒｉｎｔｅｒを意味している。
【００４４】
係る構成において、カード情報管理サーバ１０は、ネットワーク２に接続されており、管理部門端末２０や利用者操作端末３０から、マネーカード６０のカード情報６１（例えば、利用履歴やチャージ履歴等の利用情報）を収集する。
【００４５】
また、管理部門端末２０は、ネットワーク２を介して、カード情報管理サーバ１０と通信可能に接続されている。管理部門端末２０は、カード情報管理サーバ１０と通信して、データベース１２（図２参照）に登録された登録カード情報１２ａの内容を更新することができる。例えば、管理部門端末２０は、特定のマネーカード６０を指定して、そのマネーカード６０の登録情報１２ａにアクセスする場合に、カード情報管理サーバ１０と通信して、データベース１２に登録された登録カード情報１２ａの各レコードの中の、指定されたマネーカード６０のＩＤに一致する登録カード情報１２ａにアクセスし、その登録カード情報１２ａに含まれている電子マネーの状態情報（図２に示す「ロック状態」情報）に対して、ロック状態から解除状態への変更及び解除状態からロック状態への変更の双方を行うことができる。
【００４６】
また、利用者操作端末３０は、ネットワーク２を介して、カード情報管理サーバ１０と通信可能に接続されている。利用者操作端末３０は、カード情報管理サーバ１０と通信して、データベース１２（図２参照）に登録された登録カード情報１２ａの内容の一部を更新することができる。例えば、利用者操作端末３０は、特定のマネーカード６０を指定して、そのマネーカード６０の登録情報１２ａにアクセスする場合に、カード情報管理サーバ１０と通信して、データベース１２に登録された登録カード情報１２ａの各レコードの中の、指定されたマネーカード６０のＩＤに一致する登録カード情報１２ａにアクセスし、その登録カード情報１２ａの電子マネーの状態情報（図２に示す「ロック状態」情報）に対して、解除状態からロック状態への変更のみを行うことができる。
【００４７】
図２に示すように、カード情報管理サーバ１０は、マネーカード６０に格納された電子マネーのロック状態及び解除状態を管理するためのアプリケーションプログラム（以下、「管理アプリケーション」と称する）１９が実装されている。
【００４８】
カード情報管理サーバ１０は、制御部１１、及び、データベース１２を備えている。制御部１１は、ＣＰＵが管理アプリケーション１９を実行することによって構成されており、データベース１２に登録された登録カード情報１２ａを管理する。データベース１２は、ハードディスクドライブ装置等によって構成されており、登録カード情報１２ａが登録される。
【００４９】
カード情報管理サーバ１０は、マネーカード６０が管理部門から利用者に貸与される場合やマネーカード６０が利用者から管理部門に返却される場合に、管理部門端末２０又は利用者操作端末３０を介して、カード読取機４０Ａ又はカード読取機４０Ｂによって読み取られたカード情報６１を取得する。すると、制御部１１が、取得されたカード情報６１に含まれているマネーカード６０のＩＤを識別し、識別されたＩＤに一致するマネーカード６０の登録カード情報１２ａ（以下、「該当する登録カード情報１２ａ」と称する場合もある）をデータベース１２から読み出す。そして、制御部１１が、読み出された登録カード情報１２ａに対して、所定のデータ操作を行う。
【００５０】
管理部門端末２０は、管理アプリケーション２９が実装されている。管理部門端末２０は、各種の処理を実行するための制御部２１を備えている。制御部２１は、ＣＰＵが管理アプリケーション２９を実行することによって構成される。制御部２１は、例えば、管理部門がマネーカード６０を利用者に貸与する場合に、図３Ａに示す貸与処理を実行する。
【００５１】
利用者操作端末３０は、管理アプリケーション３９が実装されている。利用者操作端末３０は、各種の処理を実行するための制御部３１を備えている。制御部３１は、ＣＰＵが管理アプリケーション３９を実行することによって構成される。制御部３１は、例えば、利用者がマネーカード６０を管理部門に返却する場合に、図３Ｃに示す返却処理を実行する。
【００５２】
カード読取機４０Ａ，４０Ｂは、それぞれ、マネーカード６０のカード情報６１と通信するための読取部４１を備えている。
また、残高証明書発行機５０Ａ，５０Ｂは、それぞれ、マネーカード６０に格納された電子マネーの残高情報と利用履歴情報とを紙媒体等に印刷して、残高証明書７０として発行する発行部５１を備えている。
【００５３】
係る構成において、マネーカード貸与システム１は、マネーカード６０の返却時に、所定の端末装置（ここでは、利用者操作端末３０）を利用して、残高証明書７０の発行（印刷）とマネーカード６０に対する電子マネーの利用ロックとを同時に行う。
【００５４】
これにより、マネーカード貸与システム１は、残高証明書７０に記載された電子マネーの残高とマネーカード６０に格納されている実際の電子マネーの残高とを確実に一致させて、残高証明書７０の信頼性を確保する。その結果、マネーカード貸与システム１は、マネーカード６０の返却時の電子マネーの残高の信頼性を確保することができる。このようなマネーカード貸与システム１は、信頼性が確保されたマネーカード６０の貸与を可能にする。
【００５５】
＜マネーカード貸与システムの動作＞
以下、図３Ａ〜図３Ｃを参照して、マネーカード貸与システム１の動作につき説明する。図３Ａ〜図３Ｃは、それぞれ、実施形態に係るマネーカード貸与システム１の動作を示す図である。図３Ａ〜図３Ｃは、マネーカード６０の貸与から返却までの処理の一例を示している。図３Ａは、管理部門がマネーカード６０を利用者に貸与する場合のシーケンスを示している。図３Ｂは、利用者がマネーカード６０を使用する場合のシーケンスを示している。図３Ｃは、利用者がマネーカード６０を管理部門に返却する場合のシーケンスを示している。
【００５６】
なお、各装置は、図示せぬタイマによって計測された時間に基づいて動作する。また、各装置の動作は、各装置の記憶部に読み出し自在に予め格納された制御プログラム（ここでは、管理アプリケーション１９，２９，３９（図２参照））によって規定されており、各装置の制御部１１，２１，３１によって実行される。以下、これらの点については、情報処理では常套手段であるので、その詳細な説明を省略する。
【００５７】
（マネーカードの貸与時の動作）
まず、図３Ａを参照して、管理部門がマネーカード６０を利用者に貸与する場合の動作につき説明する。
【００５８】
管理部門は、複数のマネーカード６０を予め保管している。以下、管理部門に保管されているマネーカード６０を「保管カード」と称する。複数の保管カードは、過去に利用者に貸与されていない未使用のものと、過去に利用者に貸与されて返却された使用済みのものとが、混在した状態になっている。未使用の保管カードは、通常、電子マネーの残高がゼロになっている。一方、使用済みの保管カードは、電子マネーの残高が残っている場合がある。保管カードは、通常、未使用のものも、使用済みのものも、ともに、電子マネーの利用がロックされた状態になっている。
【００５９】
管理操作者は、事前に、各保管カードをカード読取機４０Ａにセットし、管理部門端末２０で、各保管カードの基礎的な登録カード情報１２ａ（例えば、ＩＤ情報や、状態情報等）をカード情報管理サーバ１０のデータベース１２に登録する操作を行う。このとき、管理操作者は、登録カード情報１２ａの状態情報をロック状態として登録する。マネーカード貸与システム１は、各保管カードの基礎的な登録カード情報１２ａがデータベース１２に登録されることにより、各保管カードの貸与及び返却並びに使用の管理を開始する。
【００６０】
利用者は、任意の時点で、マネーカード６０の貸与を管理部門に申請する。これに応答して、管理部門の管理操作者が管理部門端末２０を操作することにより、マネーカード６０を利用者に貸与するための処理（以下、「貸与処理」と称する）が開始される。
【００６１】
貸与処理では、利用者に貸与する予定のカード（以下、「貸与予定カード」と称する）に掛けられたロックを解除する処理（以下、「ロック解除処理」と称する）と、利用者に貸与する電子マネーがある場合に、電子マネーを貸与予定カードにチャージする処理（以下、「チャージ処理」と称する）とが、行われる。ここでは、利用者に貸与する電子マネーがあり、チャージ処理が行われる場合を想定して説明する。
【００６２】
管理操作者は、利用者からマネーカード６０の貸与の申請を受けると、管理部門に保管されている複数の保管カードの中から、１乃至複数枚の貸与予定カードを取り出す。貸与予定カードは、管理部門による貸与及び返却並びに使用の管理の対象となる。
【００６３】
管理操作者は、貸与予定カードを取り出すと、管理部門端末２０で、貸与処理の実行を指示する操作を行う。管理部門端末２０は、その操作（以下、「貸与操作」と称する）を受け付ける（Ｓ１０５）。
【００６４】
このとき、貸与予定カードに割り当てられたＩＤが、管理部門端末２０に入力される。
ＩＤの入力は、管理操作者が、貸与予定カードに記されたＩＤを目視にて確認し、そのＩＤを管理部門端末２０に設けられた入力部から直接入力することにより、行われる。なお、管理操作者が貸与予定カードのＩＤを直接入力する場合は、複数枚の貸与予定カードのＩＤを入力することができる。
【００６５】
また、ＩＤの入力は、管理操作者が、貸与予定カードをカード読取機４０Ａにセットし、貸与予定カードのカード情報６１の取得を管理部門端末２０に指示することによっても、行うことができる。この場合に、ＩＤの入力は、管理部門端末２０が、貸与予定カードのカード情報６１をカード読取機４０Ａに読み取らせて、カード読取機４０Ａから貸与予定カードのカード情報６１を取得し、そのカード情報６１に含まれているＩＤを識別することにより、行われる。
【００６６】
管理部門端末２０は、Ｓ１０５で、ＩＤが入力されると、貸与予定カードのロック解除処理を行うために、カード情報管理サーバ１０から、データベース１２に登録されている貸与予定カードの登録カード情報１２ａを取得する。
【００６７】
そのために、管理部門端末２０は、入力されたＩＤを指定のＩＤとし、指定のＩＤに一致する登録カード情報１２ａ（すなわち、貸与予定カードの登録カード情報１２ａ）の送信をカード情報管理サーバ１０に依頼する（Ｓ１１０）。
これに応答して、カード情報管理サーバ１０は、データベース１２に登録されている貸与予定カードの登録カード情報１２ａを読み出して、管理部門端末２０に送信する。
【００６８】
その結果、例えば、図４に示すように、データベース１２に登録されている貸与予定カードの登録カード情報１２ａが、管理部門端末２０の図示せぬ表示部に表示される。図４は、実施形態で用いるカード情報管理画面Ｄ１の一例を示す図である。カード情報管理画面Ｄ１は、Ｓ１０５で入力されたＩＤに一致する貸与予定カードの登録カード情報１２ａの一例を示している。
【００６９】
図４に示す例では、カード情報管理画面Ｄ１は、登録カード情報１２ａとして、貸与予定カードのＩＤ情報、残高情報、及び、利用状態情報を含む構成になっている。また、図４に示す例では、カード情報管理画面Ｄ１は、「ロック」ボタン及び「ロック解除」ボタンを含む構成になっている。「ロック」ボタンは、貸与予定カードにロックを掛けるためのボタンである。「ロック解除」は、貸与予定カードに掛けられたロックを解除するためのボタンである。
【００７０】
貸与予定カードは、管理操作者がチャック欄にチェックを入力して「ロック」ボタンを押下すると、電子マネーの利用がロックされたロック状態になる。また、貸与予定カードは、管理操作者がチャック欄にチェックを入力して「ロック解除」ボタンを押下すると、ロックが解除された解除状態になる。
【００７１】
管理操作者は、管理部門端末２０の図示せぬ表示部に表示されたカード情報管理画面Ｄ１を見て、貸与の可能な貸与予定カードの登録カード情報１２ａが確認された場合に、その登録カード情報１２ａに該当する貸与予定カードをカード読取機４０Ａにセットする。そして、管理操作者は、管理部門端末２０で、カード読取機４０Ａにセットされた貸与予定カードのＩＤに一致する登録カード情報１２ａ（すなわち、該当する登録カード情報１２ａ）の状態情報の内容をロック状態から解除状態に変更する操作（具体的には、カード情報管理画面Ｄ１で、チャック欄にチェックを入力して、「ロック解除」ボタンを押下する操作）を行う。
【００７２】
このとき、管理部門端末２０は、貸与予定カードのＩＤを指定して、指定されたＩＤに一致する登録カード情報１２ａ（すなわち、該当する登録カード情報１２ａ）のロックの解除依頼を、カード情報管理サーバ１０に送信する（Ｓ１１５）。なお、ロックの解除依頼の送信は、保管カードとして管理部門に保管されている複数枚分のマネーカード６０の中の１枚が後記する「貸与カード」として管理部門から利用者に貸与される旨をカード情報管理サーバ１０に通知することを意味する。
【００７３】
これに応答して、カード情報管理サーバ１０は、該当する登録カード情報１２ａ（すなわち、データベース１２に登録された登録カード情報１２ａの各レコードの中の、指定されたＩＤに一致する登録カード情報１２ａ）の状態情報の内容を、解除状態からロック状態に変更する。そして、カード情報管理サーバ１０は、変更したことを表す通知を管理部門端末２０に送信する。
【００７４】
管理部門端末２０は、カード情報管理サーバ１０から変更したことを表す通知を受信すると、カード読取機４０Ａを介して、カード読取機４０Ａにセットされた貸与予定カードの図示せぬ制御部と通信して、貸与予定カードの図示せぬ制御部に、貸与予定カードに掛けられたロックを解除させる（Ｓ１１５ａ）。貸与予定カードは、この時点から、電子マネーのチャージ及び使用が可能になる。
【００７５】
Ｓ１１５ａの後、管理部門端末２０は、利用者に貸与する電子マネーがある場合に、貸与予定カードに対して、不足している残高分の電子マネーのチャージ処理を行う。このとき、貸与予定カードは、電子マネーの残高を増やす処理が行われ（Ｓ１２０ａ）、また、チャージ履歴情報を図示せぬ記憶部に記録する処理が行われ（Ｓ１２０ｂ）、さらに、カード読取機４０Ａ及び管理部門端末２０を介して、記憶部に記録されたチャージ履歴情報をカード情報管理サーバ１０に通知する処理が行われる（Ｓ１２０ｃ）。
【００７６】
管理部門端末２０は、電子マネーのチャージが行われると、貸与前の貸与予定カードに格納（チャージ）されている電子マネーの残高の記録を残すために、残高証明書７０の発行を行う。
【００７７】
そのために、まず、管理部門端末２０は、カード読取機４０Ａにセットされている貸与予定カードに対して、貸与予定カードに格納（チャージ）されている電子マネーの残高照会を行う（Ｓ１２５）。このとき、カード読取機４０Ａが、貸与予定カードからカード情報６１を読み取り、管理部門端末２０に送信する。管理部門端末２０は、読み取られたカード情報６１に含まれている貸与予定カードのＩＤや残高情報、利用履歴情報等を識別する。
【００７８】
管理部門端末２０は、識別された貸与予定カードのＩＤ及び残高情報を、カード情報管理サーバ１０に通知する（Ｓ１３０）。これに応答して、カード情報管理サーバ１０は、該当する登録カード情報１２ａの残高情報（以下、「登録残高情報」と称する）の金額を、通知された残高情報の金額に更新する。カード情報管理サーバ１０は、登録残高情報の金額を更新すると、更新したことを表す通知を管理部門端末２０に送信する。
【００７９】
管理部門端末２０は、カード情報管理サーバ１０から更新したことを表す通知を受信すると、残高証明書発行機５０Ａに、カード読取機４０Ａによって読み取られたカード情報６１に含まれている電子マネーの残高情報と利用履歴情報とを紙媒体等に印刷させて、残高証明書７０として発行させる（Ｓ１３５）。これにより、図３Ａに示す一連のルーチンが終了する。
この後、管理部門は、貸与予定カードを利用者に貸与する。以下、利用者に貸与された貸与予定カード（マネーカード６０）を「貸与カード」と称する。
【００８０】
（マネーカードの使用時の動作）
次に、図３Ｂを参照して、利用者がマネーカード６０（貸与カード）を使用する場合の動作につき説明する。
【００８１】
利用者は、貸与カードが貸与されると、この時点から、貸与カードを利用することができる。貸与カードの利用は、貸与カードが図示せぬ取引装置と通信可能に接続されることにより行われる。取引装置は、例えば、交通機関や流通機関に設置された自動券売機、交通機関に設置された自動改札装置、流通機関に設置されたキャッシュレジスタ、金融機関や流通機関に設置されたＡＴＭ等の形態になっている。
【００８２】
利用者は、貸与カードの利用を開始する場合に、貸与カードを取引装置に通信可能に接続させる。これにより、利用者は、貸与カードに格納（チャージ）されている電子マネーを使用することができる（Ｓ２０５）。また、利用者は、利用中に、電子マネーの残高が不足した場合でも、チャージ履歴を取ることによって、電子マネーを貸与カードにチャージすることができる（Ｓ２１０）。なお、Ｓ２０５の処理及びＳ２１０の処理は、順序を変更することができるし、また、繰り返し行うことができる。
【００８３】
貸与カードは、Ｓ２０５で、電子マネーが使用される場合に、電子マネーの残高を減らす処理が行われ（Ｓ２０５ａ）、また、利用履歴情報を図示せぬ記憶部に記録する処理が行われ（Ｓ２０５ｂ）、さらに、図示せぬ取引装置を介して、記憶部に記録された利用履歴情報をカード情報管理サーバ１０に通知する処理が行われる（Ｓ２０５ｃ）。カード情報管理サーバ１０は、利用履歴情報が通知される度に、通知された利用履歴情報に基づいて、該当する登録カード情報１２ａの登録残高情報の金額を更新する。
【００８４】
一方、貸与カードは、Ｓ２１０で、電子マネーがチャージされる場合に、電子マネーの残高を増やす処理が行われ（Ｓ２１０ａ）、また、チャージ履歴情報を図示せぬ記憶部に記録する処理が行われ（Ｓ２１０ｂ）、さらに、図示せぬ取引装置を介して、記憶部に記録されたチャージ履歴情報をカード情報管理サーバ１０に通知する処理が行われる（Ｓ２１０ｃ）。カード情報管理サーバ１０は、チャージ履歴情報が通知される度に、通知されたチャージ履歴情報に基づいて、該当する登録カード情報１２ａの登録残高情報の金額を更新する。
【００８５】
（マネーカードの返却時の動作）
次に、図３Ｃを参照して、利用者がマネーカード６０（貸与カード）を管理部門に返却する場合の動作につき説明する。
【００８６】
利用者は、貸与カードの利用を終了すると、貸与カードを管理部門に返却する。その際に、利用者が利用者操作端末３０を操作することにより、貸与カードを管理部門に返却するための処理（以下、「返却処理」と称する）が開始される。
【００８７】
利用者は、貸与カードをカード読取機４０Ｂにセットし、利用者操作端末３０で、返却処理の実行を指示する操作を行う。利用者操作端末３０は、その操作（以下、「返却操作」と称する）を受け付ける（Ｓ３０５）。
【００８８】
このとき、カード読取機４０Ｂが、セットされた貸与カードのカード情報６１を読み取り、利用者操作端末３０に送信する。利用者操作端末３０は、カード読取機４０Ｂから貸与カードのカード情報６１を受信すると、そのカード情報６１に含まれているＩＤを識別する。これにより、利用者操作端末３０は、貸与カードのＩＤを取得する。
【００８９】
利用者操作端末３０は、ＩＤを取得すると、貸与カードの登録カード情報１２ａの更新を行うために、カード情報管理サーバ１０から、データベース１２に登録されている貸与カードの登録カード情報１２ａを取得する。
【００９０】
そのために、利用者操作端末３０は、取得されたＩＤを指定のＩＤとし、指定のＩＤに一致する登録カード情報１２ａ（すなわち、貸与カードの登録カード情報１２ａ）の送信をカード情報管理サーバ１０に依頼する（Ｓ３１０）。
これに応答して、カード情報管理サーバ１０は、データベース１２に登録されている貸与カードの登録カード情報１２ａを読み出して、利用者操作端末３０に送信する。
【００９１】
このとき、該当する登録カード情報１２ａが存在していれば（データベース１２に登録されていれば）、その登録カード情報１２ａが、利用者操作端末３０の図示せぬ表示部に表示される。
【００９２】
ここでは、このとき、図４に示すカード情報管理画面Ｄ１に類似した画面（ただし、該当する登録カード情報１２ａのみを含む画面）が、利用者操作端末３０の図示せぬ表示部に表示されるものとして説明する。
【００９３】
利用者は、利用者操作端末３０の図示せぬ表示部に表示された画面を見て、該当する登録カード情報１２ａの存在が確認された場合に、該当する登録カード情報１２ａの状態情報の内容を解除状態からロック状態に変更する操作（具体的には、画面に表示された「ロック」ボタンを押下する操作）を行う。
【００９４】
このとき、利用者操作端末３０は、貸与カードのＩＤを指定して、指定されたＩＤに一致する登録カード情報１２ａ（すなわち、該当する登録カード情報１２ａ）のロック依頼を、カード情報管理サーバ１０に送信する（Ｓ３１５）。なお、ロック依頼の送信は、貸与カードが利用者から管理部門に返却される旨をカード情報管理サーバ１０に通知することを意味する。
【００９５】
これに応答して、カード情報管理サーバ１０は、該当する登録カード情報１２ａ（すなわち、データベース１２に登録された登録カード情報１２ａの各レコードの中の、指定されたＩＤに一致する登録カード情報１２ａ）の状態情報の内容を、ロック状態から解除状態に変更する。そして、カード情報管理サーバ１０は、変更したことを表す通知を利用者操作端末３０に送信する。
【００９６】
利用者操作端末３０は、カード情報管理サーバ１０から変更したことを表す通知を受信すると、カード読取機４０Ｂを介して、カード読取機４０Ｂにセットされた貸与カードの図示せぬ制御部と通信して、貸与カードの図示せぬ制御部に、ロックを掛けさせる（Ｓ３１５ａ）。貸与カードは、この時点から、電子マネーのチャージ及び使用が不能になる。
なお、Ｓ３１５ａの処理（「ロック実行」処理）は、Ｓ３３０の処理（「残高証明書発行」処理）の後に、行うようにしてもよい。
【００９７】
Ｓ３１５ａの後に、利用者操作端末３０は、カード読取機４０Ｂにセットされている貸与カードに対して、貸与カードに格納されている電子マネーの残高照会を行う（Ｓ３２０）。このとき、カード読取機４０Ｂが、貸与カードからカード情報６１を読み取り、利用者操作端末３０に送信する。利用者操作端末３０は、読み取られたカード情報６１に含まれている貸与カードのＩＤや残高情報、利用履歴情報等を識別する。
【００９８】
利用者操作端末３０は、識別された貸与カードのＩＤ及び残高情報を、カード情報管理サーバ１０に通知する（Ｓ３２５）。これに応答して、カード情報管理サーバ１０は、該当する登録カード情報１２ａの登録残高情報の金額を、通知された残高情報の金額に更新する。カード情報管理サーバ１０は、登録残高情報の金額を更新すると、更新したことを表す通知を利用者操作端末３０に送信する。
【００９９】
利用者操作端末３０は、カード情報管理サーバ１０から更新したことを表す通知を受信すると、残高証明書発行機５０Ｂに、カード読取機４０Ｂによって読み取られたカード情報６１に含まれている電子マネーの残高情報と利用履歴情報とを紙媒体等に印刷させて、残高証明書７０として発行させる（Ｓ３３０）。これにより、図３Ｂに示す一連のルーチンが終了する。
貸与カードは、残高証明書７０が発行された時点で、返却可能となる。利用者は、電子マネーの利用がロックされた貸与カードと残高証明書７０とを管理部門に提出する。
なお、返却された貸与カードは、電子マネーの利用がロックされている。返却された貸与カード（マネーカード６０）は、組織内で繰り返し貸与及び返却される。管理部門は、そのマネーカード６０の貸与及び返却を管理する。
【０１００】
本実施形態に係るマネーカード貸与システム１は、残高証明書発行機５０Ｂが残高証明書７０を発行するときに、同時に、カード読取機４０Ｂがマネーカード６０（貸与カード）を、電子マネーが利用不能にロックされたロック状態にする。そのため、マネーカード貸与システム１は、マネーカード６０（貸与カード）の返却時に利用者から提出された残高証明書７０に記載された電子マネーの残高と返却されたマネーカード６０（貸与カード）に格納されている実際の電子マネーの残高とを確実に一致させることができる。その結果、マネーカード貸与システム１は、マネーカード６０の返却時の電子マネーの残高の信頼性を確保することができる。
【０１０１】
これにより、管理部門は、マネーカード６０の返却時に、マネーカード６０に格納されている実際の電子マネーの残高を利用機器で確認する必要がなくなる。そのため、マネーカード貸与システム１は、管理部門にかかる作業負担を軽減することができる。
また、マネーカード貸与システム１は、格納されている電子マネーの残高が保証されたマネーカード６０の運用が可能になる。
また、マネーカード貸与システム１は、データベース１２によって、マネーカード６０に格納されている電子マネーの残高をシステム的に管理することができる。そのため、マネーカード貸与システム１は、会社等で、マネーカード６０を介して従業員等によって使用された経費等の管理を容易に行うことができる。
【０１０２】
なお、管理部門端末２０や図示せぬ取引装置で行われる電子マネーのチャージは、管理部門とは異なる、外部の運用組織による制御下で行われることが好ましい。
【０１０３】
以上の通り、本実施形態に係るマネーカード貸与システム１によれば、マネーカード６０に格納された電子マネーの残高が記載された残高証明書７０の信頼性を確保することにより、返却時のマネーカード６０に格納されている電子マネーの残高の信頼性を確保することができる。
【０１０４】
本発明は、前記した実施形態に限定されることなく、本発明の要旨を逸脱しない範囲で種々の変更や変形を行うことができる。
【０１０５】
例えば、マネーカード貸与システム１は、貸与カード（マネーカード６０）の返却処理において、図３Ｃに示すＳ３３０で、貸与カード（マネーカード６０）に格納されている電子マネーの残高証明書７０を発行するときに、「貸与カード（マネーカード６０）の電子マネーをロックした」ことを表す情報を残高証明書７０に記載する構成にしてもよい。すなわち、マネーカード貸与システム１は、「貸与カード（マネーカード６０）の電子マネーをロックした」ことを表す情報を、利用者操作端末３０で貸与カード（マネーカード６０）を返却するための返却操作が受け付けられた場合に発行される残高証明書７０に記載する構成にしてもよい。
【０１０６】
また、例えば、カード情報管理画面Ｄ１は、マネーカード６０が貸与中であるか否かを表す情報を含む構成にしてもよい。
【０１０７】
また、例えば、本実施形態では、利用者操作端末３０、カード読取機４０Ｂ及び残高証明書発行機５０Ｂが、個々に独立した装置である場合を想定して説明している。しかしながら、利用者操作端末３０は、カード読取機４０Ｂ及び残高証明書発行機５０Ｂを内蔵する装置として構成することができる。この場合に、利用者操作端末３０は、例えば、一般に「コンビニＡＴＭ」と称される、コンビニエンスストアやスーパーマーケット等の流通機関に設置されている自動取引装置や、流通機関に設置されている自動発券機、鉄道等の交通機関に設置されている自動発券機等の装置として、利用することができる。
【０１０８】
また、例えば、管理操作者は、図３Ａに示すＳ１０５〜Ｓ１３５のいずれかの時点で、管理部門端末２０を操作することによって、貸与予定カードのＩＤに対応付けて、貸与先の個人情報（例えば、氏名や、住所、電話番号、貸与先が従業員である場合の従業員番号等）を、カード情報管理サーバ１０のデータベース１２、又は、カード情報管理サーバ１０から独立して設けられた図示せぬデータベースに登録するようにしてもよい。
【０１０９】
また、例えば、利用者操作端末３０は、貸与カードの表面に文字情報を書き込む文字書き込み手段を有する構成にしてもよい。この場合に、利用者操作端末３０は、文字書き込み手段によって、電子マネーの残高情報や「貸与カード（マネーカード６０）の電子マネーをロックした」ことを表す情報を文字情報として貸与カードの表面に書き込むことができる。この場合に、利用者操作端末３０は、（１）残高証明書発行機５０Ｂによって残高証明書７０を発行するとともに、文字書き込み手段によって文字情報を貸与カードの表面に書き込む構成、及び、（２）文字書き込み手段を残高証明書発行機５０Ｂとして用い、文字書き込み手段によって残高証明書７０に代わる文字情報を貸与カードの表面に書き込む構成のいずれの構成にすることもできる。
【符号の説明】
【０１１０】
１    マネーカード貸与システム
２    ネットワーク
１０    カード情報管理サーバ
１１，２１，３１    制御部
１２    データベース
１２ａ    登録カード情報
１９ａ，２９ａ，３９ａ    管理アプリケーション
２０    管理部門端末
３０    利用者操作端末
４０Ａ，４０Ｂ    カード読取機
４１    読取部
５０Ａ，５０Ｂ    残高証明書発行機
５１    発行部
６０    マネーカード
６１    カード情報
７０    残高証明書
【図１】
2014038462.tif 000003
【図２】
2014038462.tif 000004
【図３Ａ】
2014038462.tif 000005
【図３Ｂ】
2014038462.tif 000006
【図３Ｃ】
2014038462.tif 000007
【図４】
2014038462.tif 000008